(57)【要約】【課題】道路鋲を構成する鋲本体が破損しにくく、長期間に亘って取り替えの必要をなくすることができる道路鋲を提供する。【解決手段】曲げに対する剛性が低い反面、比較的衝撃に対して柔軟で割れが発生しにくい半硬質合成樹脂材料及び／又は軟質合成樹脂材料が鋲本体１において７０重量％以上配合されていることで、鋲本体が外力を受けた際に変形して衝撃を吸収することができ、鋲本体１が破損しにくくなり長期間に亘って取り替えを行う必要をなくすることができる。【参照図】        図２【特許請求の範囲】
【請求項１】
道路鋲は、断面略台形状の鋲本体の傾斜した外側面に反射面が設けられ、該鋲本体に７０重量％以上の半硬質合成樹脂材料及び／又は軟質合成樹脂材料が配合されていることを特徴とする道路鋲。
【請求項２】
前記鋲本体は、下方が開口されて内部に空洞が形成されたものであって、該空洞に可とう性の接着剤が充填されていることを特徴とする請求項１に記載の道路鋲。
【発明の詳細な説明】
【技術分野】
【０００１】
本発明は、道路面の車線の区分、歩道と車道との区分、交差点での停止線その他の表示をするために、通常、一定間隔をおいて道路面等に装着される道路鋲に関するものである。
【背景技術】
【０００２】
従来、道路面の表示に使用される所謂道路鋲の形状は、平面視については円形、楕円形、四角形、三角形その他種々の形状を呈するが、全体としては円錐もしくは角錐台形を呈するように形成されている。
【０００３】
また、その構造としては、該円錐もしくは角錐台形を呈する外殻体と、その空洞内部に注入・固化された充填材からなる芯体とを有しており、外殻体は、耐久性、耐候性のあるセラミック、硬質ガラス、或いは機械的強度に富むポリカーボネート、アクリル等の合成樹脂を材料として、射出成形法や注型成形法等の成形方法により、開口した底部を有するように成形される。
【０００４】
そして、この外殻体の傾斜側部には、外殻体と一体的に形成するか、或いは別途成形したものを取り付けることにより再帰反射部が形成されている。この再帰反射部の裏面には、その機能を発揮する中核部分であるところの、多数の反射プリズムからなる反射素子群が形成され、その反射素子群の表面は、通常、アルミニウムのような金属の薄膜が金属蒸着法等により積層されて鏡面が形成され、反射性能を高める工夫がなされている。
【０００５】
そのような道路鋲の一例として、例えば特許文献１において、傾斜側面を有する合成樹脂製の道路鋲において、該傾斜側面に道路の情報を知らせる標識を設け、前記傾斜側面と前記標識とに別々のダイヤカットを施すと共に色違いに構成した道路鋲が開示されている。
【０００６】
【特許文献１】実願昭５９−９４６７１号のマイクロフィルム（実開昭６１−１０３１５号）
【発明の開示】
【発明が解決しようとする課題】
【０００７】
しかしながら、特許文献１に記載される等の従来の道路鋲は、本体にポリカーボネート樹脂やアクリル樹脂等の硬質の合成樹脂を用いており、上方から歩行者が踏み付けたり傘などで突いたりする程度で本体が簡単に破損してしまい、設置後短期間で道路鋲としての機能が失われたり、取り替えが必要とされたりし易いものであった。
【０００８】
本発明は上記の如き課題に鑑みてなされたものであり、道路鋲を構成する鋲本体が破損しにくく、長期間に亘って取り替えの必要をなくすることができる道路鋲を提供せんとするものである。
【課題を解決するための手段】
【０００９】
上記課題を解決するため、本発明は以下のような構成としている。すなわち、本発明に係わる道路鋲は、断面略台形状の鋲本体の傾斜した外側面に反射面が設けられ、該鋲本体に７０重量％以上の半硬質合成樹脂材料及び／又は軟質合成樹脂材料が配合されていることを特徴とするものである。
【００１０】
ここで半硬質合成樹脂材料とは曲げ弾性率７００ＭＰａを下回る材料で、軟質合成樹脂材料とは、曲げ弾性率７０ＭＰａを下回る材料を示すもので、いずれも硬質合成樹脂材料より曲げに対する剛性が低い反面、比較的衝撃に対して柔軟であり、割れが発生しにくいものであり、かかる軟質合成樹脂材料を鋲本体に配合することで、道路鋲の衝撃に対する耐久性が高められる。
【００１１】
また前記鋲本体は、下方が開口されて内部に空洞が形成されたものであって、該空洞に可とう性の接着剤が充填されていることを特徴とするものである。
【発明の効果】
【００１２】
請求項１に記載の本発明に係わる道路鋲によれば、曲げに対する剛性が低い反面、比較的衝撃に対して柔軟で割れが発生しにくい半硬質合成樹脂材料及び／又は軟質合成樹脂材料が鋲本体において７０重量％以上配合されていることで、鋲本体が外力を受けた際に変形して衝撃を吸収することができ、鋲本体が破損しにくくなり長期間に亘って取り替えを行う必要をなくすることができる。
【００１３】
請求項２に記載の発明によれば、鋲本体の内部の空洞を充填するのに接着剤を用いることで、充填材自体が鋲本体と強固に接着することができ、また可とう性であるから鋲本体の変形に追随して変形することができ、鋲本体が変形した場合でも充填材は鋲本体から容易に外れることがなくなり好ましい。
【発明を実施するための最良の形態】
【００１４】
本発明に係わる最良の実施の形態について、図面に基づき以下に具体的に説明する。
図１は、本発明に係わる道路鋲の、実施の一形態を示す説明図である。曲げ強度５０ＭＰａ以下の軟質合成樹脂材料であるポリウレタン樹脂からなる鋲本体１の形状は断面略台形状となされ、通常、縦約１０ｃｍ程度、横約１０ｃｍ程度、高さ約２ｃｍ程度の大きさとなされている。鋲本体１の傾斜した外側面の内、相対向して位置する二つの側面１１には、裏面に多数のプリズム状反射素子群が設けられ、反射素子群表面にアルミ蒸着等により金属薄膜が設けられた再帰反射体２が取り付けられることで両側からの車両の前照灯等の光を再帰反射できるようになされている。鋲本体１の内、とりわけ上面１２が、歩行者の踏み付けや傘などにより破損されやすい箇所であった。
【００１５】
図２は図１のＡ−Ａ断面を示す断面図である。鋲本体１の内部は空洞であるが、その空洞に鋲本体１を形成するポリウレタン樹脂との接着性が良好なウレタン系接着剤が充填材３として充填されている。鋲本体１が軟質合成樹脂材料からなり、充填材３が可とう性の接着剤であることで、鋲本体１、とりわけ上面１２に外力がかかった場合でも、鋲本体１と充填材３とが共に変形して外力を吸収することで、鋲本体１が破損摺るのを防止できる。
【００１６】
鋲本体１は、軟質合成樹脂材料であるポリウレタン樹脂から形成されることで、破損する恐れが小さく外力を効果的に吸収できるが、７０重量％以上の半硬質合成樹脂材料、軟質合成樹脂材料が配合されていれば特に限定されるものではなく、軟質合成樹脂材料としては合成ゴムなどを用いてもよいが、成形の容易さを考慮するとウレタン樹脂、シリコン樹脂、エチレン酢酸ビニル共重合体、ポリオレフィン系やポリウレタン系エラストマー等を用いることができ、半硬質合成樹脂材料としては、低密度ポリエチレン樹脂、軟質及び硬質塩化ビニール樹脂、軟質アクリル樹脂等の合成樹脂を好適に用いることができる。また残余の材料についても、選択した軟質合成樹脂材料との混合性や成形性を考慮して適宜の硬質又は軟質の合成樹脂材料を用いてよい。
【００１７】
再帰反射体２についてもプリズム状のものに限定されず、ガラスビーズを合成樹脂に埋設したものや反射シート等を用いてもよく、また可とう性の半硬質合成樹脂材料や軟質合成樹脂材料にガラスビーズを埋設したものを用いて、鋲本体１の変形に追随するようにしたものであってもよく、更には鋲本体１とガラスビーズを埋設する合成樹脂材料とを同種のものとすれば、変形の追随に加え温度変化による膨張収縮にも追随が円滑となり、再帰反射体２が外れる恐れを小さくでき好ましい。
【００１８】
充填材３については、発泡ポリウレタン等を充填してもよいが、上述の如く可とう性の接着剤を用いるのが好ましく、ウレタン系接着剤の他にＥＶＡ（エチレン酢酸ビニルコポリマー）、ＰＶＢ（ポリビニルブチラール）、無水マレイン酸等で変性した変性ポリエチレン、変性ポリプロピレン、エポキシ系接着剤等で可とう性のものを用いることができる。
【実施例１】
【００１９】
本発明に係わる実施例について、以下に説明する。
表１に示す材料を用い、図１及び図２に示した形態の道路鋲を形成し、実施例１及び２と、比較例に係わる道路鋲を得、それらについて衝撃に対する耐久性の試験を行った。尚、再帰反射体２は取り付けない状態で試験を行っている。
【００２０】
【表１】
2005097970.tif 000002
【００２１】
これらの道路鋲に対し、ＪＩＳ  Ｋ７２１１に規定するなす型重錘のなす型１号（１ｋｇ）の重錘を１ｍ、２ｍ、３ｍ、５ｍ（顕著な破損が見られた場合は継続しない）の高さから鋲本体の上面中央に落下させ、その後の破損の有無及び状態を確認した。その結果を表２に示す。
【００２２】
【表２】
2005097970.tif 000003
【００２３】
鋲本体の全体を軟質合成樹脂材料から形成した実施例１については、重錘を５ｍの高さから落下させても破損は見られず、１ｍの高さからの重錘の落下で破損が見られ始めた比較例と、衝撃に対する耐久性において極めて顕著な差異が見られる。また鋲本体に７５重量％の半硬質合成樹脂材料を配合して形成した実施例２についても、２ｍの高さからの重錘の落下では破損は見られず、比較例と較べ明確に衝撃に対する耐久性が優れていることが示されている。
【図面の簡単な説明】
【００２４】
【図１】本発明に係わる道路鋲の、実施の一形態を示す説明図である。
【図２】図１のＡ−Ａ断面を示す断面図である。
【符号の説明】
【００２５】
１    鋲本体
１１  傾斜側面
２    再帰反射体
３    充填材
１０  道路鋲
【図１】
2005097970.tif 000004
【図２】
2005097970.tif 000005